(57)【特許請求の範囲】
【請求項１】
匿名ネットワークに配設される情報収集システムであって、
前記匿名ネットワークを介してユーザ装置から受け付けた匿名サービス要求に応じた匿名サービスを、前記匿名ネットワークを介して前記ユーザ装置へ提供する匿名サービス提供システムと、
前記提供された匿名サービスに関する情報を収集する情報収集部と、
前記匿名ネットワークに配設され且つ他の匿名サービスを提供する投稿対象サーバに対して、前記匿名サービス提供システムが提供する匿名サービスのアドレス情報を投稿するアドレス投稿部と、
を具備する情報収集システム。
【請求項２】
前記匿名サービス提供システムは、
前記ユーザ装置から受け付けた匿名サービス要求に応じたサービス結果を、前記匿名ネットワーク外のサーフィスサービスサーバから取得する取得部と、
前記取得したサービス結果を、前記匿名サービス提供システムの匿名サービスによる結果として、前記ユーザ装置へ提供するサービス結果提供部と、
を具備する、
請求項１記載の情報収集システム。
【請求項３】
前記アドレス投稿部は、前記匿名サービス提供システムのアドレス情報を定期的に変更して、変更の度に、変更後の前記匿名サービス提供システムのアドレス情報を前記投稿対象サーバに投稿する、
請求項１又は２に記載の情報収集システム。
【請求項４】
匿名ネットワークに配設された情報収集システムのアドレス投稿部が、前記匿名ネットワークに配設され且つ第１の匿名サービスを提供する投稿対象サーバに対して、前記情報収集システムに含まれる匿名サービス提供システムが提供する第２の匿名サービスのアドレス情報を投稿し、
前記匿名サービス提供システムが、前記投稿されたアドレス情報を用いてユーザ装置から送信された匿名サービス要求に応じて、前記第２の匿名サービスを提供し、
前記情報収集システムの情報収集部が、前記提供された第２の匿名サービスに関する情報を収集する、
情報収集方法。
【請求項５】
匿名ネットワークに配設される情報収集システムに、
前記匿名ネットワークに配設され且つ第１の匿名サービスを提供する投稿対象サーバに対して、前記情報収集システムが提供する第２の匿名サービスのアドレス情報を投稿し、
前記投稿されたアドレス情報を用いてユーザ装置から送信された匿名サービス要求に応じて、前記第２の匿名サービスを提供し、
前記提供された第２の匿名サービスに関する情報を収集する、
処理を、実行させる制御プログラム。
【発明の詳細な説明】
【技術分野】
【０００１】
本開示は、情報収集システム、情報収集方法、及び制御プログラムを格納する非一時的なコンピュータ可読媒体に関する。
【背景技術】
【０００２】
非合法な物品や情報等のやり取りをインターネットを介して行う、マーケットや掲示板などのサービスが問題となっている。このようなインターネットを介したサービスに関しては、サービスのＩＰアドレス及びユーザ装置のＩＰアドレスと、接続元のプロバイダの情報とを照合することによって、サービスの運用サーバ及びサービス利用者を特定することができる。【０００３】
しかしながら、ＩＰアドレス及びペイロードを秘匿する技術が存在する。例えば、接続経路の匿名化を実現する匿名ネットワークシステムとして、例えば、Ｔｏｒ（The Onion Router）がある。Ｔｏｒでは、リレーノードと呼ばれる機器から構成される、p2pネットワーク（Torネットワークと呼ばれることがある）が構築される。そして、Ｔｏｒでは、該Ｔｏｒネットワークを介した通信が行われる。Ｔｏｒでは、Ｔｏｒネットワーク内の複数のリレーノードによって通信の中継が行われ、各リレーノードで暗号化処理が行われる。これにより、Ｔｏｒでは通信の多段的な暗号化処理が行われるので、経路上の１つ前のリレーノード以外の情報（ＩＰアドレス、ペイロードなど）を秘匿することができる。【０００４】
これに対して、匿名ネットワークシステムにおけるリレーノード及び出口ノードのアクセス情報を収集する技術が提案されている（例えば、特許文献１）。出口ノードとは、匿名ネットワークシステム内のノードであって、匿名ネットワークシステムの外部と接続するノードである。そして、特許文献１に開示されている技術においては、収集された情報を用いて、匿名ネットワークシステムの外部に存在する装置に対する匿名ネットワークシステム経由のアクセスを遮断している。
【先行技術文献】
【特許文献】
【０００５】
【特許文献１】特開２００６−１８０３８９号公報
【発明の概要】
【発明が解決しようとする課題】
【０００６】
ところで、匿名ネットワークシステムでは、匿名サービス（Hidden service）と呼ばれるサービスが提供されている。この匿名サービスにおいては、匿名サービスを利用しているユーザ装置及び匿名サービスのいずれのＩＰアドレスも分からないため、匿名サービスは、非合法的に利用される虞がある。このため、匿名サービスを利用しているユーザの情報を収集することが望まれる。【０００７】
しかしながら、特許文献１に開示される技術は、匿名ネットワークシステムにおけるリレーノード及び出口ノードのＩＰアドレスを収集できる一方で、匿名サービスを利用しているユーザの情報を収集できない可能性がある。【０００８】
本開示の目的は、匿名サービスを利用するユーザの情報を収集することができる、情報収集システム、情報収集方法、及び制御プログラムを格納する非一時的なコンピュータ可読媒体を提供することにある。
【課題を解決するための手段】
【０００９】
第１の態様にかかる情報収集システムは、匿名ネットワークに配設され、且つ、前記匿名ネットワークを介してユーザ装置から受け付けた匿名サービス要求に応じた匿名サービスを、前記匿名ネットワークを介して前記ユーザ装置へ提供する匿名サービス提供システムと、前記提供された匿名サービスに関する情報を収集する情報収集部と、前記匿名ネットワークに配設され且つ他の匿名サービスを提供する投稿対象サーバに対して、前記匿名サービス提供システムのアドレス情報を投稿するアドレス投稿部と、を具備する。【００１０】
第２の態様にかかる情報収集方法は、匿名ネットワークに配設された情報収集システムのアドレス投稿部が、前記匿名ネットワークに配設され且つ第１の匿名サービスを提供する投稿対象サーバに対して、前記情報収集システムに含まれる匿名サービス提供システムのアドレス情報を投稿し、前記匿名サービス提供システムが、前記投稿されたアドレス情報を用いてユーザ装置から送信された匿名サービス要求に応じて、第２の匿名サービスを提供し、前記情報収集システムの情報収集部が、前記提供された第２の匿名サービスに関する情報を収集する。【００１１】
第３の態様にかかる制御プログラムは、匿名ネットワークに配設される情報収集システムに、前記匿名ネットワークに配設され且つ第１の匿名サービスを提供する投稿対象サーバに対して、前記情報収集システムが提供する第２の匿名サービスのアドレス情報を投稿し、前記投稿されたアドレス情報を用いてユーザ装置から送信された匿名サービス要求に応じて、前記第２の匿名サービスを提供し、前記提供された第２の匿名サービスに関する情報を収集する、処理を、実行させる。
【発明の効果】
【００１２】
本開示により、匿名サービスを利用するユーザの情報を収集することができる、情報収集システム、情報収集方法、及び制御プログラムを格納する非一時的なコンピュータ可読媒体を提供することができる。
【図面の簡単な説明】
【００１３】
【図１】第１実施形態の情報収集システムの一例を示す図である。
【図２】第１実施形態の情報収集システムの処理動作の説明に供するシーケンス図である。
【図３】第２実施形態の情報収集システムの一例を示す図である。
【図４】第２実施形態の情報収集システムの処理動作の説明に供するシーケンス図である。
【図５】第３実施形態の情報収集システムの一例を示す図である。
【図６】情報収集システムのハードウェア構成例を示す図である。
【発明を実施するための形態】
【００１４】
以下、図面を参照しつつ、実施形態について説明する。なお、実施形態において、同一又は同等の要素には、同一の符号を付し、重複する説明は省略される。
【００１５】
＜第１実施形態＞
＜匿名ネットワークの概要＞
図１は、第１実施形態の情報収集システムの一例を示す図である。図１には、情報収集システム１０の他に、ユーザ端末２０及びサーバ３０が示されている。情報収集システム１０、ユーザ端末２０、及びサーバ３０は、匿名ネットワーク１に配設されており、それぞれ、匿名ネットワーク１に参加している参加ノードである。図１では図示を省略しているが、情報収集システム１０、ユーザ端末２０、及びサーバ３０は、例えば、匿名ネットワーク１の１つ又は複数の中継ノードを介して互いに接続されている。匿名ネットワーク１は、例えばＴｏｒネットワークである。
【００１６】
サーバ３０は、匿名サービス（以下では、「第１匿名サービス」と呼ばれることがある）を提供するサーバである。サーバ３０は、例えば、第１匿名サービスとして、掲示板又はマーケット等のウェブサービスを、匿名サービスとして提供する。
【００１７】
情報収集システム１０は、サーバ３０に対して、情報収集システム１０が提供する匿名サービス（以下では、「第２匿名サービス」と呼ばれることがある）のアドレス情報を投稿する。例えば、第１匿名サービスが掲示板である場合、情報収集システム１０は、第２匿名サービスのアドレス情報（例えば、ＵＲＬ）を掲示板に投稿する。ここで、サーバ３０は、情報収集システム１０が第２匿名サービスのアドレス情報を投稿する対象のサーバであるので、「投稿対象サーバ」と呼ぶこともできる。
【００１８】
ユーザ端末２０は、ユーザの操作によってサーバ３０にアクセスする。そして、例えばユーザ端末２０の表示部（図示せず）に表示された掲示板を見てユーザが第２匿名サービスに興味を持つと、ユーザの操作によってユーザ端末２０は、第２匿名サービスのアドレス情報を用いて情報収集システム１０にアクセスすることになる。これにより、非合法的に利用される虞がある第１匿名サービスのユーザを誘って、情報収集システム１０へ引き込むことができる。
【００１９】
そして、情報収集システム１０は、ユーザ端末２０のユーザからの要求に応じて情報収集システム１０が提供する第２匿名サービスに関する情報（例えば、入力された要求情報、サービス結果情報等）を収集する。これにより、非合法的に利用される虞がある第１匿名サービスのユーザに関する情報を収集することができる。
【００２０】
＜情報収集システムの構成例＞
図１に示すように情報収集システム１０は、アドレス投稿部１１と、匿名サービス提供システム（匿名サービス提供部）１２と、情報収集部１３とを有している。
【００２１】
アドレス投稿部１１は、投稿対象サーバであるサーバ３０に対して（つまり、サーバ３０が提供する第１匿名サービスに対して）、匿名サービス提供システム１２が提供する第２匿名サービスのアドレス情報を投稿する。ここで、アドレス投稿部１１は、第２匿名サービスのアドレス情報を定期的に変更し、変更の度に、変更後のアドレス情報をサーバ３０に対して投稿してもよい。これにより、同じアドレス情報を所定期間より長く掲示しておくことで情報収集目的に合わないユーザが情報収集システム１０にアクセスしてくることを、回避することができる。
【００２２】
匿名サービス提供システム１２は、匿名ネットワーク１を介してユーザ端末２０から受け付けた「匿名サービス要求」に応じた第２匿名サービスを、匿名ネットワーク１を介してユーザ端末２０へ提供する。
【００２３】
情報収集部１３は、匿名サービス提供システム１２によって提供された第２匿名サービスに関する情報（例えば、入力された要求情報、サービス結果情報等）を収集する。
【００２４】
＜情報収集システムの動作例＞
以上の構成を有する情報収集システム１０の処理動作の一例について説明する。図２は、第１実施形態の情報収集システムの処理動作の説明に供するシーケンス図である。図２のシーケンス図には、情報収集システム１０とユーザ端末２０及びサーバ３０のそれぞれとの情報の遣り取りも示されている。
【００２５】
情報収集システム１０においてアドレス投稿部１１は、投稿対象サーバであるサーバ３０に対して、匿名サービス提供システム１２が提供する第２匿名サービスのアドレス情報を投稿する（ステップＳ１０１）。
【００２６】
ユーザ端末２０は、ユーザの操作によってサーバ３０にアクセスする（ステップＳ１０２）。
【００２７】
ユーザの操作によってユーザ端末２０は、第２匿名サービスのアドレス情報を用いて匿名サービス提供システム１２にアクセスして、匿名サービス要求を匿名サービス提供システム１２へ送信する（ステップＳ１０３）。
【００２８】
匿名サービス提供システム１２は、匿名ネットワーク１を介してユーザ端末２０から受け付けた匿名サービス要求に応じた第２匿名サービスを、匿名ネットワーク１を介してユーザ端末２０へ提供する（ステップＳ１０４）。
【００２９】
情報収集部１３は、匿名サービス提供システム１２によって提供された第２匿名サービスに関する情報を収集する（ステップＳ１０５）。
【００３０】
以上のように第１実施形態によれば、情報収集システム１０においてアドレス投稿部１１は、投稿対象サーバであるサーバ３０に対して、匿名サービス提供システム１２が提供する第２匿名サービスのアドレス情報を投稿する。そして、匿名サービス提供システム１２は、ユーザ端末２０から受け付けた「匿名サービス要求」に応じた第２匿名サービスを、ユーザ端末２０へ提供する。そして、情報収集部１３は、匿名サービス提供システム１２によって提供された第２匿名サービスに関する情報（例えば、入力された要求情報、サービス結果情報等）を収集する。
【００３１】
この情報収集システム１０の構成により、非合法的に利用される虞がある第１匿名サービスのユーザを誘って情報収集システム１０へ引き込んで、非合法的に利用される虞がある第１匿名サービスのユーザに関する情報を収集することができる。
【００３２】
また、アドレス投稿部１１は、第２匿名サービスのアドレス情報を定期的に変更し、変更の度に、変更後のアドレス情報をサーバ３０に対して投稿する。
【００３３】
この情報収集システム１０の構成により、同じアドレス情報を所定期間より長く掲示しておくことで情報収集目的に合わないユーザが情報収集システム１０にアクセスしてくることを、回避することができる。
【００３４】
＜第２実施形態＞
第２実施形態は、情報収集システムがユーザ装置から受け付けた匿名サービス要求に応じたサービス結果を、匿名ネットワーク外のサーフィスサービスサーバから取得して、匿名サービス提供システムの匿名サービスの結果としてユーザ装置に提供する、実施形態に関する。
【００３５】
＜情報収集システムの構成例＞
図３は、第２実施形態の情報収集システムの一例を示す図である。図３には、情報収集システム４０の他に、ユーザ端末２０、サーバ３０、及びサーバ５０が示されている。情報収集システム４０、ユーザ端末２０、及びサーバ３０は、匿名ネットワーク１に配設されており、それぞれ、匿名ネットワーク１に参加している参加ノードである。一方で、サーバ５０は、匿名ネットワーク１の外に配設されており、例えばインターネット（図示せず）を介して情報収集システム４０と接続されている。
【００３６】
図３に示すように情報収集システム４０は、アドレス投稿部１１と、情報収集部１３と、匿名サービス提供システム（匿名サービス提供部）４１とを有している。匿名サービス提供システム４１は、取得部４１Ａと、サービス結果提供部４１Ｂとを有している。
【００３７】
取得部４１Ａは、ユーザ端末２０から受け付けた「匿名サービス要求」に応じたサービス結果を、サーバ５０から取得する。このサーバ５０は、匿名サービスを提供するサーバではなく、一般に開かれたサービスを提供するサーバである。すなわち、サーバ５０は、サーフィスサービスサーバである。
【００３８】
サービス結果提供部４１Ｂは、取得部４１Ａで取得されたサービス結果を、匿名サービス提供システム４１の第２匿名サービスのサービス結果として、ユーザ端末２０へ提供する。このように、匿名サービス提供システム４１の匿名サービスのサービス結果を取得するために、匿名ネットワーク１の外のサーフィスサービスサーバによるサービスを利用している。これにより、匿名サービス提供システム４１の構築を容易にすることができると共に、匿名サービス提供システム４１の匿名サービスの設定自由度を高めることができる。
【００３９】
＜情報収集システムの動作例＞
以上の構成を有する情報収集システム４０の処理動作の一例について説明する。図４は、第２実施形態の情報収集システムの処理動作の説明に供するシーケンス図である。図４のシーケンス図には、情報収集システム４０とユーザ端末２０、サーバ３０及びサーバ５０のそれぞれとの情報の遣り取りも示されている。
【００４０】
ステップＳ２０１からステップＳ２０３は、図２のステップＳ１０１からステップＳ１０３と同じである。
【００４１】
匿名サービス提供システム４１において取得部４１Ａは、ユーザ端末２０から受け付けた「匿名サービス要求」に応じたサービス結果を、サーバ５０から取得する（ステップＳ２０４）。そして、取得部４１Ａは、取得したサービス結果をサービス結果提供部４１Ｂへ送出する（ステップＳ２０５）。
【００４２】
匿名サービス提供システム４１においてサービス結果提供部４１Ｂは、取得部４１Ａから受け取ったサービス結果を、匿名サービス提供システム４１の第２匿名サービスのサービス結果として、ユーザ端末２０へ提供する（ステップＳ２０６）。
【００４３】
情報収集部１３は、匿名サービス提供システム４１によって提供された第２匿名サービスに関する情報を収集する（ステップＳ２０７）。
【００４４】
以上のように第２実施形態によれば、情報収集システム４０の匿名サービス提供システム４１において取得部４１Ａは、ユーザ端末２０から受け付けた「匿名サービス要求」に応じたサービス結果を、サーバ５０から取得する。サービス結果提供部４１Ｂは、取得部４１Ａで取得されたサービス結果を、匿名サービス提供システム４１の第２匿名サービスのサービス結果として、ユーザ端末２０へ提供する。
【００４５】
この情報収集システム４０の構成により、匿名サービス提供システム４１の匿名サービスのサービス結果を取得するために、匿名ネットワーク１の外のサーフィスサービスサーバによるサービスを利用することができる。これにより、匿名サービス提供システム４１の構築を容易にすることができると共に、匿名サービス提供システム４１の匿名サービスの設定自由度を高めることができる。
【００４６】
＜第３実施形態＞
第３実施形態は、より具体的な実施形態に関する。
【００４７】
＜情報収集システムの構成例＞
図５は、第３実施形態の情報収集システムの一例を示す図である。図５には、情報収集システム１００の他に、第２実施形態の図３と同様に、ユーザ端末２０、サーバ３０、及びサーバ５０が示されている。以下では、一例として、匿名ネットワーク１がＴｏｒネットワークであるものとする。この場合、匿名ネットワーク１は、Ｔｏｒソフトウェアによって構築された広域ネットワークである。
【００４８】
情報収集システム１００、ユーザ端末２０、及びサーバ３０は、匿名ネットワーク１に配設されており、それぞれ、匿名ネットワーク１に参加している参加ノードである。サーバ５０は、匿名ネットワーク１の外に配設されており、例えばインターネット（図示せず）を介して情報収集システム１００と接続されている。ここで、図５においてユーザ端末２０は、ウェブブラウザ２１と、匿名通信制御部２２とを有している。ウェブブラウザ２１は、匿名サービス（第１匿名サービス及び第２匿名サービスを含む）を利用するためのウェブブラウザである。ウェブブラウザ２１は、匿名サービス要求（例えば、ｈｔｔｐリクエスト）を匿名通信制御部２２へ送出する。この時点では、匿名サービス要求は、平文である。匿名通信制御部２２は、匿名ネットワーク１を介したサーバ３０及び情報収集システム１００との間の匿名通信を制御する機能部であり、Ｔｏｒソフトウェアによって動作する。匿名通信制御部２２は、ウェブブラウザ２１から受け取った匿名サービス要求（例えば、ｈｔｔｐリクエスト）に対して暗号化、匿名化を行い、暗号化後及び匿名化後の匿名サービス要求を情報収集システム１００へ送信する。
【００４９】
図５に示すように情報収集システム１００は、アドレス管理装置１１０と、匿名通信部１２０と、匿名サービス提供システム１３０と、非匿名通信部１４０と、観測部１５０と、情報記憶部１６０とを有している。アドレス管理装置１１０、匿名通信部１２０、匿名サービス提供システム１３０、非匿名通信部１４０、観測部１５０、及び情報記憶部１６０は、適切な通信方法を用いて互いに通信可能に接続されている。
【００５０】
アドレス管理装置１１０は、投稿部１１１と、記録部１１２と、登録部１１３とを有している。
【００５１】
投稿部１１１は、第１実施形態及び第２実施形態で説明したアドレス投稿部１１に相当する。投稿部１１１は、匿名サービス提供システム１３０が提供する第２匿名サービスのアドレス情報の生成、投稿、及び更新（変更）の制御を行う。投稿部１１１において生成又は更新されたアドレス情報は、後述する匿名通信部１２０によって、匿名ネットワーク１を介してサーバ３０へ送信されることによって、サーバ３０に投稿される。投稿部１１１は、サーバ３０へのアドレス情報の投稿処理を、スクリプト等に従って自動で行ってもよいし、情報収集システム１００の管理者の操作に従って適時行ってもよい。
【００５２】
記録部１１２は、アドレス情報の運用期間を記録すると共に、運用期間内における第２匿名サービスの稼働状況を記録する。
【００５３】
登録部１１３は、匿名サービス提供システム１３０が提供する第２匿名サービスのアドレス情報の更新の度に、匿名ネットワーク１に対して該第２匿名サービスの登録を行う。これにより、第２匿名サービスのアドレス情報が更新されても、該第２匿名サービスを利用可能な状態にすることができる。
【００５４】
匿名通信部１２０は、匿名ネットワーク１との間のインタフェースとして機能する。匿名通信部１２０は、例えば、Ｔｏｒソフトウェアに従って動作する。例えば、匿名通信部１２０は、匿名ネットワーク１を介して受け取る信号に対して復号等の受信処理を行って、受信処理後の信号を匿名サービス提供システム１３０へ送出する。また、匿名通信部１２０は、情報収集システム１００の各機能部から受け取った信号に対して暗号化、匿名化等の送信処理を行って、送信処理後の信号を匿名ネットワーク１へ送出する。
【００５５】
匿名サービス提供システム１３０は、ウェブサーバ１３１と、アプリケーションサーバ１３２とを有している。
【００５６】
ウェブサーバ１３１は、情報入力部１３１Ａと、情報提示部１３１Ｂとを有する。ウェブサーバ１３１は、例えば、Apache、nginxなどのウェブサーバソフトウェアによって動作する。
【００５７】
情報入力部１３１Ａは、ユーザ端末２０から送信された匿名サービス要求（例えば、ｈｔｔｐリクエスト）を、匿名通信部１２０を介して受け取り、該匿名サービス要求に含まれる「入力情報」を用いて「サーバリクエスト」を形成する。そして、情報入力部１３１Ａは、形成したサーバリクエストをアプリケーションサーバ１３２へ送出する。
【００５８】
情報提示部１３１Ｂは、サーバリクエストを受け取ったアプリケーションサーバ１３２がサーバ５０から取得したサービス結果を含む「サーバレスポンス」を受け取り、該サーバレスポンスに含まれるサービス結果を用いて「ｈｔｔｐレスポンス」を形成する。該ｈｔｔｐレスポンスは、サービス結果を含んでいる。そして、情報提示部１３１Ｂは、形成したｈｔｔｐレスポンスを、匿名通信部１２０を介してユーザ端末２０へ送信する。これにより、サーバ５０から取得したサービス結果を、匿名サービス提供システム１３０のサービス結果としてユーザ端末２０へ提供することができる。すなわち、情報提示部１３１Ｂは、第２実施形態のサービス結果提供部４１Ｂに相当する。
【００５９】
アプリケーションサーバ１３２は、取得通信制御部１３２Ａと、サービス結果抽出部１３２Ｂとを有している。
【００６０】
取得通信制御部１３２Ａは、情報入力部１３１Ａから送出されたサーバリクエストを受け取り、該サーバリクエストを用いて、サーバ５０に対するｈｔｔｐリクエストを形成する。そして、取得通信制御部１３２Ａは、後述する非匿名通信部１４０を介して、形成したｈｔｔｐリクエストをサーバ５０へ送信する。これにより、ｈｔｔｐリクエストを受け取ったサーバ５０は、ｈｔｔｐリクエストに含まれる入力情報を用いてサービスを実行し、得られたサービス結果を含むｈｔｔｐレスポンスを情報収集システム１００へ返してくる。
【００６１】
サービス結果抽出部１３２Ｂは、サーバ５０から送信されたｈｔｔｐレスポンスを非匿名通信部１４０を介して受け取り、該ｈｔｔｐレスポンスからサービス結果を抽出する。そして、サービス結果抽出部１３２Ｂは、抽出したサービス結果を含むサーバレスポンスを形成し、形成したサーバレスポンスを情報提示部１３１Ｂへ送出する。このように、情報入力部１３１Ａ、取得通信制御部１３２Ａ、及びサービス結果抽出部１３２Ｂは、ユーザ端末２０から受け付けた匿名サービス要求に応じたサービス結果をサーバ５０から取得しており、第２実施形態の取得部４１Ａに相当する。
【００６２】
非匿名通信部１４０は、インターネットとの間のインタフェースとして機能する。
【００６３】
観測部１５０は、情報収集システム１００の各機能部を監視し、ユーザ端末２０のユーザの活動を観測する。観測部１５０は、例えば、入力情報及びサービス結果の他に、匿名通信部１２０による変換の前後の情報を観測する。すなわち、観測部１５０は、第１実施形態及び第２実施形態の情報収集部１３に相当する。
【００６４】
情報記憶部１６０は、観測部１５０が観測した情報の記録を行う。
【００６５】
＜情報収集システムの動作例＞
以上の構成を有する情報収集システム１００の処理動作の一例について説明する。ここでは、特に、アドレス管理装置１１０の処理動作について説明する。
【００６６】
アドレス管理装置１１０において投稿部１１１は、匿名サービス提供システム１３０が提供する第２匿名サービスのＵＲＬを生成する。例えば、投稿部１１１は、Ｔｏｒの規格に従ってRSA-1024による秘密鍵及び公開鍵を生成し、生成した公開鍵をもとにsha1によるハッシュを生成する。そして、投稿部１１１は、生成したハッシュに「.onion」を追加することによって、第２匿名サービスのＵＲＬを生成する。
【００６７】
次いで、記録部１１２は、投稿部１１１によって生成されたＵＲＬを記録する。記録部１１２は、投稿部１１１によって生成されたＵＲＬの他に、ＵＲＬの生成に利用された公開鍵及び秘密鍵と生成日時とを記録してもよい。記録部１１２によって記録された情報は、第２匿名サービスのアクセス可能期間の管理に利用することができる。
【００６８】
次いで、登録部１１３は、投稿部１１１が生成したＵＲＬを利用して、第２匿名サービスを、匿名ネットワーク１上に登録する。これにより、利用者のユーザ端末２０は、第２匿名サービスに接続することが可能となる。この登録部１１３による登録処理は、匿名通信部１２０を介して行なわれる。
【００６９】
次いで、投稿部１１１は、生成したＵＲＬを、サーバ３０に投稿する。
【００７０】
＜他の実施形態＞
＜１＞第１実施形態から第３実施形態で説明した情報収集システム１０，４０，１００は、１つの装置として実現されてもよい。又は、第１実施形態から第３実施形態で説明した情報収集システム１０，４０，１００は、情報収集システム１０，４０，１００の複数の構成要素を各組み合わせが１つ又は複数の任意の構成要素から成る複数の組み合わせに分け、該複数の組み合わせをそれぞれ含む複数の装置から構成されてもよい。
【００７１】
＜２＞図６は、情報収集システムのハードウェア構成例を示す図である。図６において情報収集システム２００は、プロセッサ２０１と、メモリ２０２とを含んでいる。第１実施形態から第３実施形態で説明した情報収集システム１０，４０，１００が１つの装置として実現される場合、情報収集システム１０，４０，１００は、図６に示すハードウェア構成を有していてもよい。情報収集システム１０，４０，１００のアドレス投稿部１１と、アドレス管理装置１１０と、匿名サービス提供システム（匿名サービス提供部）１２，４１，１３０と、情報収集部１３と、観測部１５０とは、プロセッサ２０１がメモリ２０２に記憶されたプログラムを読み込んで実行することにより実現されてもよい。プログラムは、様々なタイプの非一時的なコンピュータ可読媒体（non-transitory computer readable medium）を用いて格納され、情報収集システム１０，４０，１００に供給することができる。また、プログラムは、様々なタイプの一時的なコンピュータ可読媒体（transitory computer readable medium）によって情報収集システム１０，４０，１００に供給されてもよい。
【符号の説明】
【００７２】
１  匿名ネットワーク
１０，４０  情報収集システム
１１  アドレス投稿部
１２，４１，１３０  匿名サービス提供システム（匿名サービス提供部）
１３  情報収集部
２０  ユーザ端末
２１  ウェブブラウザ
２２  匿名通信制御部
３０  サーバ
４１Ａ  取得部
４１Ｂ  サービス結果提供部
５０  サーバ
１００  情報収集システム
１１０  アドレス管理装置
１１１  投稿部
１１２  記録部
１１３  登録部
１２０  匿名通信部
１３１  ウェブサーバ
１３１Ａ  情報入力部
１３１Ｂ  情報提示部
１３２  アプリケーションサーバ
１３２Ａ  取得通信制御部
１３２Ｂ  サービス結果抽出部
１４０  非匿名通信部
１５０  観測部
１６０  情報記憶部
【図１】
0006984751.tif 000002
【図２】
0006984751.tif 000003
【図３】
0006984751.tif 000004
【図４】
0006984751.tif 000005
【図５】
0006984751.tif 000006
【図６】
0006984751.tif 000007